(57)【要約】【課題】  透光板が大型化した場合にもその撓みを最小値とすることが可能な測長装置を提供すること。【解決手段】  測長装置は、支持台１１およびテーブル１２よりなる装置本体１０と、この装置本体１０の上面に配設され被測定物Ｐを載置する透光板１３と、装置本体１０に対して一方向に往復移動する架台１４と、架台１４に対して当該架台１４の移動方向と直行する方向に往復移動するヘッドと、このヘッドに配設され透光板１３上に載置された被測定物Ｐをその上方より観察するＣＣＤカメラ１６とを備える。架台１４における透光板１３の下面側には、ベアリング２０が配設されている。このベアリング２０は、透光板１３の下面における、架台１４の移動方向に対して中央付近の位置に配設されている。そして、このベアリング２０の回転部２１は、透光板１３の下面と当接している。【選択図】        図２
2009052938.tif 000002
【特許請求の範囲】
【請求項１】
装置本体と、
前記装置本体の上面に配設され、被測定物を載置する透光板と、
前記装置本体に対して一方向に往復移動する架台と、
前記架台に対して、当該架台の移動方向と直行する方向に往復移動するヘッドと、
前記ヘッドに配設され、前記透光板上に載置された被測定物をその上方より観察する観察手段とを備え、
前記架台と前記ヘッドとにより前記透光板と平行な平面内で前記観察手段を前記被測定物に対して移動させ、このときの観察手段の移動量により被測定物上の二点間の長さを求める測長装置において、
前記透光板をその下面より支持するとともに、前記架台と連結されることにより前記架台と同期して移動する支持部材を設けたことを特徴とする測長装置。
【請求項２】
請求項１に記載の測長装置において、
前記支持部材は、その回転部を前記透光板の下面に当接させたベアリングを含む測長装置。
【発明の詳細な説明】
【技術分野】
【０００１】
この発明は、観察手段を被測定物に対して移動させ、このときの観察手段の移動量により被測定物上の二点間の長さを求める測長装置に関する。
【背景技術】
【０００２】
このような測長装置においては、例えば、プリント配線基板や液晶表示パネル用ガラス基板等の基板被測定物は、ガラス版等の透光板上に載置される。そして、この透光板の下面には光源が配置されており、ＣＣＤカメラ等の観察手段は、透光板および被測定物を透過した光を撮像する構成となっている（特許文献１参照）。
【特許文献１】特開平１０−８２６３０号公報
【発明の開示】
【発明が解決しようとする課題】
【０００３】
近年の基板の大型化に伴い、透光板の大きさも大型化している。このように大型の透光板上に大型の被測定物を載置した場合には、透光板の中央部が被測定物とともに下方に撓むという現象が発生する。このような現象が発生した場合には、正確な測長作業が実行できないという問題を生ずる。
【０００４】
この発明は上記課題を解決するためになされたものであり、透光板が大型化した場合にもその撓みを最小値とすることが可能な測長装置を提供することを目的とする。
【課題を解決するための手段】
【０００５】
請求項１に記載の発明は、装置本体と、前記装置本体の上面に配設され、被測定物を載置する透光板と、前記装置本体に対して一方向に往復移動する架台と、前記架台に対して、当該架台の移動方向と直行する方向に往復移動するヘッドと、前記ヘッドに配設され、前記透光板上に載置された被測定物をその上方より観察する観察手段とを備え、前記架台と前記ヘッドとにより前記透光板と平行な平面内で前記観察手段を前記被測定物に対して移動させ、このときの観察手段の移動量により被測定物上の二点間の長さを求める測長装置において、前記透光板をその下面より支持するとともに、前記架台と連結されることにより前記架台と同期して移動する支持部材を設けたことを特徴とする。
【０００６】
請求項２に記載の発明は、請求項１に記載の発明において、前記支持部材は、その回転部を前記透光板の下面に当接させたベアリングを含む。
【発明の効果】
【０００７】
請求項１に記載の発明によれば、透光板が大型化した場合にもその撓みを最小値とすることが可能となり、精度の高い測長作業を実行することが可能となる。
【０００８】
請求項２に記載の発明によれば、簡易な構成により透光板の撓みを防止することが可能となる。
【発明を実施するための最良の形態】
【０００９】
以下、この発明の実施の形態を図面に基づいて説明する。図１はこの発明に係る測長装置の要部を示す斜視図であり、図２はその断面図である。なお、図２においては、ヘッド１５およびＣＣＤカメラ１６の図示を省略している。
【００１０】
この測長装置は、支持台１１およびテーブル１２よりなる装置本体１０と、この装置本体１０の上面に配設され被測定物Ｐを載置する透光板１３と、装置本体１０に対して一方向に往復移動する架台１４と、架台１４に対して当該架台１４の移動方向と直行する方向に往復移動するヘッド１５と、このヘッド１５に配設され透光板１３上に載置された被測定物Ｐをその上方より観察するＣＣＤカメラ１６とを備える。
【００１１】
透光板１３の下方には、複数の蛍光灯等からなる光源２４が配設されている。また、架台１４と支持台１１との間には、リニアモータ２２と一対のリニアガイド２３とが配設されており、架台１４はこれらリニアモータ２２およびリニアガイド２３の作用により一方向に往復移動する構成となっている。そして、架台１４の移動量は、図示しないリニアエンコーダにより測定される。
【００１２】
なお、ヘッド１５と架台１４との間にも、図示しないリニアモータおよびリニアガイドが配設されており、ヘッド１５はこれらリニアモータおよびリニアガイドの作用により、架台１４の移動方向と直行する方向に往復移動する構成となっている。そして、ヘッド１５の移動量も、図示しないリニアエンコーダにより測定される。
【００１３】
架台１４における透光板１３の下面側には、ベアリング２０が配設されている。このベアリング２０は、透光板１３の下面における、架台１４の移動方向に対して中央付近の位置に配設されている。そして、このベアリング２０の回転部２１は、透光板１３の下面と当接している。
【００１４】
このような構成を有する測長装置においては、架台１４とヘッド１５とを移動させることにより、透光板１３と平行な平面内でＣＣＤカメラ１６を被測定物Ｐに対して移動させ、このときのＣＣＤカメラ１６の移動量により被測定物Ｐ上の二点間の長さを求める。
【００１５】
このとき、上述したベアリング２０における回転部２１の作用により、透光板１３における下方への撓みが防止される。そして、このベアリング２０は、架台１４に配設されていることから、架台１４の移動に同期して移動する。このため、透光板１３は、ＣＣＤカメラ１６による測定点近傍の位置において、下方への撓みを防止されることになる。このため、測定点付近の撓みを最小値とすることが可能となり、精度の高い測長作業を実行することが可能となる。
【図面の簡単な説明】
【００１６】
【図１】この発明に係る測長装置の要部を示す斜視図である。
【図２】この発明に係る測長装置の要部を示す断面図である。
【符号の説明】
【００１７】
１０      装置本体
１１      支持台
１２      テーブル
１３      透光板
１４      架台
１５      ヘッド
２０      ベアリング
２１      回転部
２２      リニアモータ
２３      リニアガイド
２４      光源
Ｐ        被測定物
【図１】
2009052938.tif 000003
【図２】
2009052938.tif 000004